(57)【要約】一方に、位置決め部材（９）および回転シャフト（６）を備えた台座部（２）であって、調理器具をその上に固定するように構成された台座部（２）と、他方に、固定位時配置および解除時配置の間を移動可能なロック（１０）を備えた握り部（３）であって、回転シャフト（６）上を回動する握り部（３）と、を備えた取っ手（１）。上記固定時配置は、ロック（１０）が位置決め部材（９）に嵌合することによって握り部（３）を固定する位置であり、上記解除時配置は、握り部（３）が回動可能な位置である。本発明によれば、位置決め部材（９）は、回転シャフト（６）に保持されている。
2009528873.tif 000002
【特許請求の範囲】
【請求項１】
一方に調理器具に取り付けられる台座部（２）が設けられ、他方に握り部（３）が設けられた取っ手（１）であって、
上記台座部（２）は、位置決め部材（９）と、回転軸（４）に沿って伸びる回転シャフト（６）とを備えており、
上記握り部（３）は、使用時配置と少なくとも１つの収納時配置との間で当該握り部（３）を上記回転軸（４）を中心にして回動可能とすべく、上記回転シャフト（６）に嵌合する開口（８）が形成された本体（７）と、該本体（７）に移動可能に取り付けられたロック（１０）であって、上記位置決め部材（９）に嵌合し、当該握り部（３）を上記使用時配置に固定する固定時配置と、当該握り部（３）を回動可能とする解除時配置との間で移動可能なロック（１０）と、を備えており、
上記位置決め部材（９）は、上記回転シャフト（６）に保持されている、ことを特徴とする取っ手（１）。
【請求項２】
上記回転シャフト（６）は、上記台座部（２）が容器に取り付けられたときに、上記台座部（２）の上面から突き出している、
ことを特徴とする請求項１に記載の取っ手（１）。
【請求項３】
上記位置決め部材（９）は、固定時配置時に上記ロック（１０）に嵌合する、上記回転シャフト（６）に設けられた空洞により構成されている、
ことを特徴とする請求項１または２に記載の取っ手（１）。
【請求項４】
上記回転シャフト（６）は、少なくとも１つの他の位置決め部材（１０、１１）であって、上記握り部（３）を対応する収納時配置に固定するために、固定時配置において上記ロック（１０）に嵌合する他の位置決め部材（１０、１１）を更に備えている、
ことを特徴とする請求項１から３の何れか１項に記載の取っ手（１）。
【請求項５】
上記ロック（１０）は、上記本体（７）の長手方向（５）に沿って滑動可能に取り付けられている、
ことを特徴とする請求項１から４の何れか１項に記載の取っ手（１）。
【請求項６】
上記ロック（１０）は、固定時配置となるようロックばね（２８）によって付勢されている、
ことを特徴とする請求項１から５の何れか１項に記載の取っ手（１）。
【請求項７】
固定時配置において、上記ロック（１０）は、上記握り部（３）の上記台座部（２）に対する回転を抑えるために、対応する位置決め部材（９、１１、１２）の径表面に抗するようにロックばね（３５）によって付勢されている、
ことを特徴とする請求項１から６の何れか１項に記載の取っ手（１）。
【請求項８】
上記ロック（１０）は、上記本体（７）に形成された溝（２３）であって、上記開口（８）に連続した溝（２３）に収納されている、
ことを特徴とする請求項１から７の何れか１項に記載の取っ手（１）。
【請求項９】
上記溝（２３）は、手動制御ボタン（２９）に取り付けられた突起（３０）であって、上記ロック（１０）に当接する突起（３０）を貫通させるスロット（３１）が形成されたカバー（２４）に覆われている、
ことを特徴とする請求項１から８の何れか１項に記載の取っ手（１）。
【発明の詳細な説明】
【発明の詳細な説明】
【０００１】
本発明は回動する握り部を備えた、調理器具として使用される取っ手に関するものである。一方に調理器具に取り付けられる台座部が設けられ、他方に握り部が設けられた取っ手であって、台座部は少なくとも１つの位置決め部材と、回転軸に沿って伸びる回転シャフトとを備え、調理器具をその上に固定するように構成されており、握り部は、使用時配置と少なくとも１つの収納時配置との間で当該握り部を回転軸を中心にして回動可能とすべく、回転シャフトに嵌合する開口が形成された本体と、該本体に移動可能に取り付けられたロックであって、位置決め部材に嵌合し、当該握り部を使用時配置に固定する固定時配置と、当該握り部を回動可能とする解除時配置との間で移動可能なロックと、を備えている型式の取っ手は公知である。
【０００２】
しかしながらこの構成においては、位置決め部材は取っ手の設計にしばしば制限を与えてしまう。
【０００３】
本発明に係る取っ手においては、位置決め部材は回転シャフトに保持されている。これにより、握り部を回転するときに大きな角度を移動したとしても、位置決め部材は短い距離しか移動しないため、位置決め部材を隠すことが容易となる。
【０００４】
本発明の他の特長および有利点は、それに限定されない実施例および図面によって示された実施形態の記述によって明らかになる。
【０００５】
図１は、本発明の実施形態に係る、典型的な取っ手の分解斜視図である。
【０００６】
図２は、本発明の実施形態に係る、回転軸周辺における取っ手の部分的な横断面図である。
【０００７】
片手鍋またはフライパン等の調理器具は、通常容器および取っ手１を備えている。図１および図２に示すように、本発明の典型的な取っ手１は、台座部２および握り部３を備えている。台座部２は、調理器具の容器をその上に固定するためのものである。握り部３は、その長手方向５に対してほぼ垂直に延びる回転軸４を中心として台座部２に対して回動するように取り付けられている。
【０００８】
台座部２は、回転軸４に沿って伸びる回転シャフト６を備えている。回転シャフト６は、台座部２が容器に取り付けられたときに、台座部２の上面から突き出している。これにより、調理器具が台所の調理台において適切に配置されたときに、上記握り部は水平面上を回転する。また、いくつかの調理器具が互いに積み重なったときにそれらを分離するために、上記握り部の位置にかかわらず、取っ手１は容器の積み重なった底面が互いに平行になるように形成されることが好ましい。
【０００９】
握り部３の主要部を形成する本体７には開口８が形成されている。取っ手１が容器の側面壁に対して垂直に延伸して該側面壁に取り付けられたときに、握り部３がその使用時配置と収納時配置との間で回動可動とするように、開口８は回転シャフト４に嵌合する。また、取っ手１が少なくとも１つの収納時配置（この場合には、使用時配置から移動した、回転方向に沿った２つの位置）において容器の側壁に取り付けられたときは、該側壁に実質的に接していることが好ましい。これにより、取っ手１を収納時配置に固定した場合の調理器具の寸法はとりわけ縮小する。
【００１０】
また、台座部２は位置決め部材９を備えており、握り部３は本体７を移動可能に取り付けられたロック１０を備えている。ロック１０は、位置決め部材９に嵌合することによって、握り部３を使用時配置に固定する固定時配置と、握り部３を回動可能とする解除時配置とがある。ロック１０が固定時配置にある場合（かつ握り部３が使用時配置にある場合）は、ロック１０は、位置決め部材９に形成された使用時位置決め空洞９に嵌合している。本発明においては、位置決め部材９は回転シャフト６に保持されている。より正確に言えば、本実施形態において使用時位置決め空洞９は、回転シャフト６の内側に入り込んでいる。
【００１１】
また、回転シャフト６は、少なくとも１つの他の位置決め部材１１，１２（本実施形態においては、２つの他の位置決め部材が位置決め部材９に対して対称的に配置されている）を有しており、ロック１０が固定時配置にあるときに、該位置決め部材１１，１２に嵌合することによって、握り部３を対応する収納時配置に固定する。本実施形態においては、回転シャフト６の内部において、他の位置固定穴１１，１２が、他の位置決め部材１１，１２各々に形成されている。２つの他の位置決め部材１１，１２の深さは、使用時配置固定穴９の深さよりもかなり浅いことに留意されたい。これにより、握り部３の安定性によって規定される、本調理器具の使用中における安全度を考慮しても、３個の穴９，１１，１２が回転シャフト６の内部にある構成が可能となる。
【００１２】
本実施形態において台座部２は、一方に容器を固定し、ハウジング１４を内包する基部１３（通常は熱硬化性の材料から形成される）と、他方にハウジング１４の内部に固定され、位置決め部材９，１１，１２を保持する位置固定機構１５（通常は金属）とを備えている。回転シャフト６は、一方の基部に支持されておりかつハウジング１４を特徴づける円筒型フランジ１６と、他方の位置固定機構１５に支持されておりかつ円筒型フランジ１６から延伸するショルダー１７とによって形づくられる。位置決め部材９，１１，１２は、ロック１０が台座部２の外側から接近可能なように、ショルダー１７の外側周辺に形成される。
【００１３】
本体７に形成された開口８の回転軸方向における片側は、ストッパー１８によって塞がれる。台座部２に対する握り部３の回転軸方向の動きを防止するために、ストッパー１８は回転シャフト６の自由端に接触している。本実施形態においては、ストッパー１８は、開口８に形成された環状ショルダー１９に接触するプレート１８である。ねじくぎ２０をプレート１８に形成された穴２１に貫通させ、台座部２（より正確には位置固定機構１５）のねじ孔２２に位置合わせすることによって、ストッパー１８を台座部２に固定する。
【００１４】
これにより、握り部３が回動するときに、プレート１８と環状ショルダー１９とは、相対的に動くことができる。
【００１５】
ロック１０は、長手方向５に沿って滑動可能に取り付けられている。また、ロック１０は、本体７に形成された溝２３であって、開口８に連続した溝２３に収納されている。溝２３は、本体７に取り付けられたカバー２４に覆われている。この場合にカバー２４は、カバー２４に保持されておりかつ本体７内部においてハウジング２５に合致するように構成された一方の取り付け用金具２５と、本体７に形成された穴２７を貫通し、かつカバー２４におけるねじ孔２８に位置合わせする他方のねじくぎ２６とによって、本体７に取り付けられている。
【００１６】
本実施形態においては、握り部３を使用時配置においてより確実に固定するために、固定時配置においてロックばね２８によって音が鳴る構成である。ロックばね２８は、本体７とロック１０とに接触するように溝２３に配置される。
【００１７】
カバー２４に覆われた溝２３に配置されているロック１０を、解除時配置に容易に移動させるために、握り部３は、その外側からロック１０にアクセスできる手動制御ボタン２９を備えている。手動制御ボタン２９は、カバー２４に形成されたスロット３１を貫通する突起３０によってロック１０に当接している。また、ロック１０に形成された穴３３を貫通するねじくぎ３２が、手動制御ボタン２９の突起３０におけるねじ孔３４と位置合わせすることによって、手動制御ボタン２９はロック１０に取り付けられる。
【００１８】
ロック１０と、互いに異なる位置固定穴９，１１，１２との幅の違いを原因とした、握り部３と台座部２との互いの回転を最小限にするか、さらには完全に防止するために、ロック１０は、位置決め部材９，１１，１２に嵌合して固定時配置に移動したとき、ロックばね３５によって位置決め部材９，１１，１２における径表面３６に接触する。ロック１０（または穴９，１１，１２）の幅は、ロック１０の長手方向の２つの表面（穴９，１１，１２の２つの基礎面）を隔てる距離である。
【００１９】
また、取っ手１は、回転シャフト６の周囲に取り付けられた伸縮スライドワッシャ３７（ステンレスから形成されたリップル）を備えている。伸縮スライドワッシャ３７は、フランジ１６の基部におけるショルダーに配置されており、握り部３は伸縮スライドワッシャ３７に接触する。
【００２０】
使用者は握り部３を回動させるために、手動制御ボタン２９をロック１０を解除する方向に動かし（この場合には、容器から離れる方向に動かす）、握り部３を回動する。手動制御ボタン２９が解除されるとすぐに、ロック１０は、回転シャフト６に接触し、握り部３が固定され得る位置のうちの１つにくると、握り部３を固定するための対応する空洞に嵌合する。
【００２１】
当然ながら、本発明はここに記載された実施形態に制限されるものではない。
【図面の簡単な説明】
【００２２】
【図１】本発明の実施形態に係る、典型的な取っ手の分解斜視図である。
【図２】本発明の実施形態に係る、回転軸周辺における取っ手の部分的な横断面図である。
【図１】
2009528873.tif 000003
【図２】
2009528873.tif 000004
【国際調査報告】
2009528873.tif 000005
2009528873.tif 000006
2009528873.tif 000007
2009528873.tif 000008